(57)【要約】【課題】測光用の光源ランプの交換作業の効率向上を実現する自動分析装置の提供。【解決手段】光源ランプ支持機構１５は、主光源ランプ１１と少なくとも１つの予備用ランプ１３とを互いの位置を切替え可能に支持する。駆動部３５は、ユーザからのランプ位置操作部３１からの指示に従って光源ランプ支持機構１５を駆動して、主光源ランプ１１の位置と予備光源ランプ１３の位置とを切替える。【選択図】      図６
2010256227.tif 000002
【特許請求の範囲】
【請求項１】
測光用ランプと、
前記測光用ランプのための少なくとも１つの予備用ランプと、
前記測光用ランプと前記少なくとも１つの予備用ランプとを互いの位置を切替え可能に支持する支持機構と、
を具備する自動分析装置。
【請求項２】
ユーザからの指示に従って前記支持機構を駆動して、前記測光用ランプの位置と前記少なくとも１つの予備用ランプのうちの特定の予備用ランプの位置とを切替える駆動部をさらに備える、請求項１記載の自動分析装置。
【請求項３】
前記測光用ランプの使用時間又は前記測光用ランプから発生される光の強度を計測する計測部と、
前記計測された使用時間又は光の強度に応じて前記支持機構を駆動して、前記測光用ランプの位置と前記少なくとも１つの予備用ランプのうちの特定の予備用ランプの位置とを切替える駆動部と、をさらに備える、
請求項１記載の自動分析装置。
【請求項４】
前記測光用ランプの位置と前記特定の予備用ランプの位置とが切替えられることを契機として、前記測光用ランプを消灯させる照明制御部をさらに備える、請求項３記載の自動分析装置。
【請求項５】
前記支持機構は、前記測光用ランプと前記少なくとも１つの予備用ランプとを軸回りに回転可能、且つ前記軸回りに放射状に並べて支持する、請求項１記載の自動分析装置。
【請求項６】
前記支持機構は、前記測光用ランプと前記少なくとも１つの予備用ランプとを平行移動可能に支持する、請求項１記載の自動分析装置。
【請求項７】
前記支持機構は、前記測光用ランプと前記少なくとも１つの予備用ランプとを軸回りに回転可能、且つ前記軸回りの同一円周上に並べて支持する、請求項１記載の自動分析装置。
【請求項８】
光を発生するランプと、
前記ランプの使用時間又は前記ランプから発生される光の強度を計測する計測部と、
前記計測された使用時間又は光の強度に応じて前記ランプを交換すべきか否かを判定する判定部と、
前記判定部による判定結果を報知する報知部と、
を具備する自動分析装置。
【請求項９】
光を発生する測光用ランプと、
前記測光用ランプのための予備用ランプと、
前記測光用ランプの使用時間又は前記測光用ランプから発生される光の強度を計測する計測部と、
前記計測された使用時間が第１閾値に達したことを契機として、又は前記計測された光の強度が第２閾値に低下したことを契機として、前記予備用ランプを点灯させる照明制御部と、
を具備する自動分析装置。
【請求項１０】
第１ランプと、
前記第１ランプとは異なる第２ランプと、
前記第１ランプから発生され反応管を透過した光を検出する検出部と、
前記第１ランプから前記反応管を経由して前記検出部に至る第１光路と、前記第２ランプから前記反応管を経由して前記検出部に至る第２光路とを切替え可能に支持する支持機構と、
前記検出部からの出力に応じて前記支持機構を駆動して前記第１光路と前記第２光路とを切替える駆動部と、
を具備する自動分析装置。
【発明の詳細な説明】
【技術分野】
【０００１】
本発明は、サンプルと試薬との混合液を光源ランプからの光を用いて測光する自動分析装置に関する。
【背景技術】
【０００２】
自動分析装置は、サンプルと試薬との混合液を光源ランプからの光を用いて測光している。光源ランプは、長い間使用されると、発生する光のエネルギーが低下してくる。そのため、光源ランプを適切なタイミングで交換する必要がある。光源ランプの交換は、例えば以下のように行なわれる。まず、測光前に光源ランプを検査する。そしてエネルギーが以前よりも低下していると判断した場合、自動分析装置を停止して光源ランプの電源を切り、光源ランプを交換する。このように、光源ランプを交換する際は、自動分析装置を一旦停止しなければならない。
【０００３】
また、消灯直後の光源ランプは大変熱い。そのため、消灯後数十分間経ってからでないと光源ランプを取り外せない。新しい光源ランプを取り付けても、数十分程度点灯させてエネルギーを安定させてからでないと使用できない。また、突然光源ランプを交換しなければならない場合、交換作業に時間がかかり、測定再開まで時間がかかる。このように、光源ランプの交換作業は、多大な作業時間やオペレータの負担を必要とし、大変効率が悪い。
【先行技術文献】
【特許文献】
【０００４】
【特許文献１】特開２００７―２６３７２３号公報
【発明の概要】
【発明が解決しようとする課題】
【０００５】
本発明の目的は、測光用の光源ランプの交換作業の効率向上を実現する自動分析装置を提供することにある。
【課題を解決するための手段】
【０００６】
本発明の第１局面に係る自動分析装置は、測光用ランプと、前記測光用ランプのための少なくとも１つの予備用ランプと、前記測光用ランプと前記少なくとも１つの予備用ランプとを互いの位置を切替え可能に支持する支持機構と、具備する。
【０００７】
本発明の第２局面に係る自動分析装置は、光を発生するランプと、前記ランプの使用時間又は前記ランプから発生される光の強度を計測する計測部と、前記計測された使用時間又は光の強度に応じて前記ランプを交換すべきか否かを判定する判定部と、前記判定部による判定結果を報知する報知部と、を具備する。
【０００８】
本発明の第３局面に係る自動分析装置は、光を発生する測光用ランプと、前記測光用ランプのための予備用ランプと、前記測光用ランプの使用時間又は前記測光用ランプから発生される光の強度を計測する計測部と、前記計測された使用時間が第１閾値に達したことを契機として、又は前記計測された光の強度が第２閾値に低下したことを契機として、前記予備用ランプを点灯させる照明制御部と、を具備する。
【０００９】
本発明の第４局面に係る自動分析装置は、第１ランプと、前記第１ランプとは異なる第２ランプと、前記第１ランプから発生され反応管を透過した光を検出する検出部と、前記第１ランプから前記反応管を経由して前記検出部に至る第１光路と、前記第２ランプから前記反応管を経由して前記検出部に至る第２光路とを切替え可能に支持する支持機構と、前記検出部からの出力に応じて前記支持機構を駆動して前記第１光路と前記第２光路とを切替える駆動部と、を具備する。
【発明の効果】
【００１０】
本発明によれば、測光用の光源ランプの交換作業の効率向上を実現する自動分析装置を提供することが可能となる。
【図面の簡単な説明】
【００１１】
【図１】本発明の第１実施形態に係る自動分析装置の測光系のブロック図。
【図２】図１の主光源ランプと予備光源ランプとが取り付けられた状態でのランプ交換機構の概略構成例を示す図。
【図３】図１の主光源ランプと予備光源ランプとが取り付けられていない状態でのランプ交換機構の概略構成例を示す図。
【図４】図２及び図３のランプ交換機構を矢印Ａ方向から眺めた図。
【図５】図１の各光源ランプの光の強度（エネルギー）の時間変化に応じた、予備用光源ランプ１３の点灯と光源ランプ位置の切替動作とのタイミングを示す図。
【図６】図１の自動分析装置の動作の流れの概略を示す図。
【図７】本発明の第２実施形態に係る自動分析装置の測光系のブロック図。
【図８】本発明の第３実施形態に係る自動分析装置の測光系のブロック図。
【図９】図７の各光源ランプの累積点灯時間に応じた、予備用光源ランプの点灯と光源ランプ位置の切替動作とのタイミングを示す図。
【図１０】本発明の第４実施形態に係る自動分析装置の動作の流れの概略を示す図。
【図１１】本発明の第５実施形態に係る自動分析装置の光源ランプ支持機構を前方から眺めた図。
【図１２】図１１の１２―１２断面図。
【図１３】本発明の第６実施形態に係る自動分析装置の測光系のブロック図。
【図１４】図１３の自動分析装置の動作の流れの概略を示す図。
【図１５】図１３の自動分析装置の動作の流れの概略を示す他の図。
【図１６】本発明の第７実施形態に係る自動分析装置の動作の流れの概略を示す図。
【発明を実施するための形態】
【００１２】
以下、図面を参照しながら本発明の実施形態に係わる自動分析装置を説明する。
【００１３】
（第１実施形態）
第１実施形態に係る自動分析装置は、反応管に分注されたサンプルと試薬との混合液を光で測定する測光系に特徴がある。
【００１４】
図１は、本発明の実施形態に係る自動分析装置の測光系のブロック図である。図１に示すように、測光系は、主光源ランプ１１、予備光源ランプ１３、光源ランプ支持機構１５、寿命判定用光検出部１７、寿命指標計測部１９、寿命判定部２１、報知部２３、照明操作部２５、照明制御部２７、電力供給部２９、ランプ位置操作部３１、駆動制御部３３、及び駆動部３５を有する。
【００１５】
主光源ランプ１１は、光を発生する光源ランプである。以下、特に言及しない限り主光源ランプ１１は、測光位置に配置され、測光に用いられる光源ランプであるとする。測光時においては、主光源ランプ１１は測光のために点灯している。主光源ランプ１１は、電力供給部２９から電力が供給されることにより点灯し、供給が停止されることにより消灯する。
【００１６】
予備光源ランプ１３は、光を発生する光源ランプである。以下、特に言及しない限り予備光源ランプ１３は、測光位置には配置されておらず、測光に用いられない光源ランプであるとする。すなわち予備光源ランプ１３は、主光源ランプ１３の予備として設けられている。主光源ランプ１１により測光されている場合、通常は、予備光源ランプ１３は点灯していない。主光源ランプ１１の寿命が近づいた場合、予備光源ランプ１３は点灯される。予備光源ランプ１３は、主光源ランプ１１と同様、電力供給部２９から電力が供給されることにより点灯し、供給が停止されることにより消灯する。予備光源ランプ１３は１つであっても複数であっても構わない。しかし以下の説明を具体的に行なうため、予備光源ランプ１３は、１つであるとする。
【００１７】
主光源ランプ１１と予備光源ランプ１３とは、製品上の規格が同一である。主光源ランプ１１と予備光源ランプ１３としては、例えば、ハロゲンタングステンランプが用いられる。各光源ランプ１１、１３には、保障期間が設定されている。この保障期間は、例えば、８００時間〜１０００時間に設定されている。
【００１８】
光源ランプ支持機構１５は、主光源ランプ１１と予備光源ランプ１３とを互いの位置を切替え可能に支持する。より詳細には、光源ランプ支持機構１５は、主光源ランプ１１と予備光源ランプ１３とを軸回りに回転可能に支持する。光源ランプ支持機構１５は、駆動部３５からの駆動信号の供給を受けて軸回りに回転し、主光源ランプ１１の位置と予備光源ランプ１３の位置とを切替える。また、光源ランプ支持機構１５は、主光源ランプ１１と予備光源ランプ１５とを個別に電力供給部２９に接続する。
【００１９】
寿命判定用光検出部１７は、主光源ランプ１１から発生された光を検出し、検出された光の強度に応じた電気信号を生成する。生成された電気信号は、寿命指標計測部１９に供給される。寿命判定用光検出部１７は、グレーティングや測光センサ等の測光用の光検出部でもよいし、測光用の光検出部ではない専用の光検出部であってもよい。なお以下の説明を具体的に行なうため、寿命判定用光検出部１７は、測光用の光検出部とは別体の光検出部であるとする。
【００２０】
寿命指標計測部１９は、寿命判定用光検出部１７から出力された電気信号に基づいて、主光源ランプ１１から発生された光の強度を計測する。計測された光の強度のデータは、寿命判定部２１と照明制御部２７とに供給される。
【００２１】
寿命判定部２１は、寿命指標計測部１９により計測された光の強度に基づいて主光源ランプ１１と予備光源ランプ１３とを切替えるべきか否か、すなわち、主光源ランプ１１の寿命が近づいているか否かを判定する。切替えるべきと判定した場合、寿命判定部２１は、切替えるべき旨の切替信号を報知部２３に供給する。切替なくてもよいと判定した場合、寿命判定部２１は、切替えなくてもよい旨の非切替信号を報知部２３に供給する。
【００２２】
報知部２３は、寿命判定部２１による判定結果をオペレータに報知する。具体的には、寿命判定部２１から切替信号が供給された場合、報知部２３は、主光源ランプ１１と予備光源ランプ１３とを切替えるべきである旨、すなわち主光源ランプ１１の寿命が近づいている旨のメッセージを出力する。また、寿命判定部２１から非切替信号が供給された場合、報知部２３は、主光源ランプ１１と予備光源ランプ１３とを切替えなくてもよい旨、すなわち主光源ランプ１１の寿命が近づいていない旨のメッセージを出力する。なお、大抵の場合、非切替信号が供給されていると考えられるので、非切替信号が供給されている間、報知部２３は、メッセージを出力しなくてもよい。
【００２３】
照明操作部２５は、オペレータからの指示に従って、主光源ランプ１１を消灯させるための消灯指示信号を照明制御部２７に供給する。照明操作部２５は、自動分析装置のコンソールに設けられ、マウスやトラックボールなどのポインティングデバイス、切替スイッチ等の選択デバイス、あるいはキーボード等の入力デバイスにより実現される。
【００２４】
照明制御部２７は、寿命指標計測部１９により計測された光の強度や、照明操作部２５からの消灯指示信号に応じて、各光源ランプ１１、１３の照明を制御するための照明制御信号を電力供給部２９に供給する。より詳細には、照明制御部２７は、寿命指標計測部１９から供給された主光源ランプ１１の光の強度が所定値に低下した場合、予備光源ランプ１３を点灯させるための照明制御信号（点灯開始信号）を電力供給部２９に供給する。また、照明操作部２５からの消灯指示信号が供給されたことを契機として、主光源ランプ１１を消灯させるための照明制御信号（消灯信号）を電力供給部２９に供給する。
【００２５】
電力供給部２９は、自動分析装置の電源系統から独立して設けられている。電力供給部２９から主光源ランプ１１への配線と予備光源ランプ１３への配線とが独立に設けられることで、主光源ランプ１１と予備光源ランプ１３とを個別に点灯させたり消灯させたりできる。電力供給部２９は、照明制御部２７からの照明制御信号を受けて、ランプを点灯させるための電力を主光源ランプ１１や予備光源ランプ１３に供給したり、電力の供給を停止したりする。より詳細には、電力供給部２９は、照明制御部２７からの点灯開始信号が供給されたことを契機として、予備光源ランプ１３への電力の供給を開始し、予備光源ランプ１３を点灯させる。また、電力供給部２９は、照明制御部２７からの消灯信号が供給されたことを契機として、主光源ランプ１１への電力の供給を停止し、主光源ランプ１１を消灯させる。
【００２６】
ランプ位置操作部３１は、オペレータからの指示に従って駆動制御部３３に支持機構１５を動作させる旨の駆動指示信号を供給する。ランプ位置操作部３１は、自動分析装置のコンソールに設けられ、マウスやトラックボールなどのポインティングデバイス、切替スイッチ等の選択デバイス、あるいはキーボード等の入力デバイスにより実現される。
【００２７】
駆動制御部３３は、ランプ位置操作部３１から駆動指示信号が供給されることを契機として、主光源ランプ１１の位置と予備光源ランプ１３の位置とを切替るための駆動制御信号を駆動部３５に供給する。
【００２８】
駆動部３５は、駆動制御部３３からの駆動制御信号に基づいて光源ランプ支持機構１５に駆動信号を供給する。上述したように、駆動部３５から駆動信号の供給を受けた光源ランプ支持機構１５は、軸回りに回転し、主光源ランプ１１の位置と予備光源ランプ１３の位置とを切替える。
【００２９】
主光源ランプ１１、予備光源ランプ１３、光源ランプ支持機構１５、光検出部１７、及び電力供給部２９は、ランプ交換機構３７を構成する。図２は、主光源ランプ１１と予備光源ランプ１３とが取り付けられた状態でのランプ交換機構３７の概略構成例を示す図である。図３は、主光源ランプ１１と予備光源ランプ１３とが取り付けられていない状態でのランプ交換機構３７の概略構成例を示す図である。図４は、図２及び図３のランプ交換機構を矢印Ａ方向から眺めた図である。
【００３０】
図２〜図４に示すように、光源ランプ支持機構１５は、測光系に設けられる固定板３９と、固定板３９を貫通するシャフト４０と、シャフト４０に取り付けられた第１ランプホルダ４１ａと第２ランプホルダ４１ｂとを有する。固定板３９とシャフト４０とは連結していない。固定板３９とランプホルダ４１ａ、４１ｂとは、隙間なく接しているが、連結していない。
【００３１】
ランプホルダ４１ａ、ｂは、電気絶縁性を有する合成樹脂等により形成される。第１ランプホルダ４１ａは主光源ランプ１１を収容し、第２ランプホルダ４１ｂは予備光源ランプ１３を収容する。主光源ランプ１１には第１ランプホルダ４１ａと電気的及び機械的に接続するための口金部４３ａが、予備光源ランプ１３には第２ランプホルダ４１ｂと電気的及び機械的に接続するための口金部４３ｂが設けられている。各光源ランプ１１、１３の口金部４３ａ、ｂには、電力供給部２９に電気的に接続するためのリード線４５ａ、ｂが取り付けられている。ランプホルダ４１ａ、ｂには、光源ランプ１１、１３の口金部４３ａ、ｂがねじ込まれる口金受け部４７ａ、ｂが設けられている。
【００３２】
オペレータにより口金部４３ａ、ｂが口金受け部４７ａ、ｂにねじ込まれることにより、光源ランプ１１、１３がランプホルダ４１ａ、ｂに取り付けられる。口金部４１ａ、ｂに取り付けられたリード線４５ａ、ｂは、ランプホルダ４１ａ、ｂに形成された貫通孔（図示せず）を通してランプホルダ４１ａ、ｂの外部へ導かれ、電力供給部（電源）２９の端子４９ａ、ｂへ接続される。電力供給部２９は、第１端子４９ａと第２端子４９ｂとに対して個別に電力を供給できるように配線されている。
【００３３】
測光位置に設けられた固定板３９には、寿命判定用光検出部（光源ランプモニタ）１７が嵌め込まれるための貫通孔が形成されている。貫通孔の軸Ｚ２と、測光位置にあるランプホルダ（図２や図３においては第１ランプホルダ４１ａ）にねじ込まれた状態での光源ランプのフィラメントの軸Ｚ３とは、一致する。また、この貫通孔の径は、寿命判定用光検出部１７が収容された状態において光源ランプ１１、１３から発生された光が漏れないように、寿命判定用検出部１７の径と略同一に形成される。寿命判定用光検出部１７は、その検出面が主光源ランプ１１に面するように貫通孔に嵌め込まれる。寿命判定用光検出部１７により生成される電気信号は、図示しないケーブルを介して寿命指標計測部１９に供給される。
【００３４】
シャフト４０は、第１ランプホルダ４１ａと第２ランプホルダ４１ｂとを軸Ｚ１回りに回転可能に支持する。またシャフト４０は、主光源ランプ１１と予備光源ランプ１３とが反対方向を向くように、すなわち主光源ランプ１１と予備光源ランプ１３とが軸Ｚ１回りに放射状に配置されるように、第１ランプホルダ４１ａと第２ランプホルダ４１ｂとを支持している。シャフト４０は、主光源ランプ１１又は予備光源ランプ１３が測光位置に位置決めされるように第１ランプホルダ４１aと第２ランプホルダ４１ｂとを支持する。電力供給部２９からの電力の供給を受けてシャフト４０は、１８０度回転する。１８０度回転することにより、第１ランプホルダ４１ａの位置と第２ランプホルダ４１ｂの位置とが切替えられ、第２ランプホルダ４１ｂに収容された予備光源ランプ１３が測光位置に位置決めされる。
【００３５】
ランプホルダ４１ａ、ｂの前方には、スリット５１ａ、ｂが取り付けられている。スリット５１ａ、ｂと固定板３９とは連結していない。
【００３６】
測光位置にある光源ランプ（図２や図３においては主光源ランプ１１）から発生された光は、測光位置にあるスリット（図２や図３においてはスリット５１ａ）を通過し、前方へ進む。このスリットを通過した光は、第１集光レンズ５３により集光される。第１集光レンズ５３を透過した光は、反応管５５を介して混合液を透過する。混合液を透過した光は、第２集光レンズ５７を透過し、測光用の光検出部５９に到達する。測光用の光検出部５９は、混合液を透過した光を検出し、検出された光の強度に応じた電気信号を生成する。測光用の光検出部５９により生成された電気信号は、測光データを演算するために、図示しない演算部に供給される。第１実施形態に係る光路は、不動であり、測光位置にある光源ランプから反応管５５を経由して光検出部５９に至る。
【００３７】
後述のように、主光源ランプ１１と予備光源ランプ１３とが同時に点灯する場合がある。一方、光源ランプ１１、１３から発生された光は、ランプホルダ４１ａ、ｂのスリット５１ａ、ｂを通過して前方へ進む。換言すれば、光源ランプ１１、１３から発生された光の大部分は、スリット５１ａ、ｂからは放出される。すなわち主光源ランプ１１と予備光源ランプ１３とが同時に点灯している場合でも、測光用の光検出部５９は、測光位置にない光源ランプから発生された光を検出することはない。このように、ランプホルダ４１ａ、４１ｂ、及び固定板３９は、遮光の役割も果たしている。
【００３８】
次に第１実施形態に係る自動分析装置の動作の流れについて詳細に説明する。図５は、各光源ランプ１１、１３の光の強度（エネルギー）の時間変化に応じた、予備用光源ランプ１３の点灯と光源ランプ位置の切替動作とのタイミングを示す図である。図６は、自動分析装置の動作の流れの概略を示す図である。
【００３９】
図５と図６とに示すように、主光源ランプ１１は点灯され測光に用いられており、予備光源ランプ１３は点灯していない状態であるとする。主光源ランプ１１から発生されている光は、測光に十分なエネルギーＥ０であるとする。例えば、保障期間を過ぎると、主光源ランプ１１から発生される光のエネルギーが低下してくる。エネルギーが予め設定された第１の閾値Ｅ１まで低下すると（時刻ｔ１）、照明制御部２７は、予備光源ランプ１３を点灯させるための点灯開始信号を電力供給部２９に供給する。そして電力供給部２９は、予備光源ランプ１３に電力を供給して点灯させる。第１の閾値Ｅ１は、オペレータにより任意に設定可能である。
【００４０】
点灯開始からしばらくの期間（以下、不安定期間と呼ぶことにする）は、発生される光のエネルギーが安定しない。光のエネルギーが安定するのに必要な時間は、光源ランプの種類等に応じて異なるが、例えば、３０分〜６０分程度である。時刻ｔ１から不安定期間経過した場合に、光が有すると推定されるエネルギーが第２の閾値Ｅ２に設定される。第２の閾値Ｅ２は、第１の閾値Ｅ１よりも低い。第２の閾値Ｅ２もオペレータにより任意に設定可能である。
【００４１】
予備光源ランプ１３が点灯され、主光源ランプ１１から発生される光のエネルギーが第２の閾値Ｅ２まで低下すると（時刻ｔ２）、寿命判定部２１は、主光源ランプ１１を交換すべきであると判定する。あるいは直接的に、時刻ｔ１から不安定期間経過したことを契機として、寿命判定部２１は、主光源ランプ１１を交換すべきであると判定してもよい。寿命判定部２１が主光源ランプ１１を交換すべきであると判定すると報知部２３は、その旨のメッセージを出力する。報知方法としては、例えば、コンソールに装備されたディスプレイに主光源ランプ１１を交換すべき旨の文章を表示する方法や、コンソールに装備されたスピーカを介して主光源ランプ１１を交換すべき旨の音声を出力する方法等がある。あるいは、コンソールに設けられたランプを点灯させたり、スピーカを介して警告音を出力させたりしてもよい。
【００４２】
主光源ランプ１１を交換すべき旨の報知を受けると、オペレータは、例えば、コンソールに設けられたランプ位置切替ボタンを押す。測光中に報知部２３からの報知がなされた場合、オペレータは、測光中のオーダが終了した時点でランプ位置切替ボタンを押すとよい。ランプ位置切替ボタンが押されたことを契機として、ランプ位置操作部３１は、駆動指示信号を駆動制御部３３に供給する。駆動指示信号の供給を受けた駆動制御部３３は、駆動部３５を制御してシャフト４０を駆動させ、主光源ランプ１１の位置と予備光源ランプ１３の位置とを切替える。光源ランプ位置が切り替わると、予備光源ランプ１３が測光に用いられる。
【００４３】
光源ランプ位置の切替後、オペレータは、例えば、コンソールに設けられた消灯ボタンを押す。消灯ボタンが押されたことを契機として、照明操作部２５は、消灯指示信号を照明制御部２７に供給する。消灯指示信号を受けた照明制御部２７は、電力供給部２９を制御して主光源ランプ１１を消灯する。消灯後、主光源ランプ１１が十分に冷えたら、オペレータは、第１ランプホルダ４１ａから主光源ランプ１１を取り外す。そして必要であれば、オペレータは、第１ランプホルダ４１ａに新たな光源ランプを取り付ける。
【００４４】
上記構成により第１実施形態に係る自動分析装置は、互いの位置を切替可能なように主光源ランプ１１と予備光源ランプ１３とを支持する光源ランプ支持機構１５を有している。これにより、主光源ランプ１１を冷却することなく、主光源ランプ１１と予備光源ランプ１３とを交換でき、光源ランプの交換時間が低減される。また、第１実施形態に係る自動分析装置は、主光源ランプ１１から発生される光のエネルギーを寿命判定用光検出部１７でモニタリングし、ランプ位置切替え前に予備光源ランプ１３を自動的に点灯させる。これにより、ランプ位置の切替え直後から予備光源ランプ１３を測光に用いることができる。また、光源ランプの電源系統は、自動分析装置本体の電源系統とは独立しているため、自動分析装置本体の電源を切ることなく、光源ランプを交換できる。
【００４５】
かくして第１実施形態によれば、測光用の光源ランプの交換作業の効率向上を実現する自動分析装置を提供することが可能となる。
【００４６】
なお、予備光源ランプ１３が複数ある場合、予備光源ランプ１３の数と同数の第２ランプホルダがシャフト４０に取り付けられる。すなわちシャフト４０は、第１ランプホルダと複数の第２ランプホルダとを軸Ｚ１回りに回転可能に支持している。また、シャフト４０は、主光源ランプ１１と複数の予備光源ランプ１３とが軸Ｚ１回りに放射状に配置されるように、第１ランプホルダ４１ａと複数の第２ランプホルダ４１ｂとを支持する。この場合、シャフト４９は、電力供給部２９からの電力の供給を受け３６０度／（ｎ）だけ回転する。なおｎは、主光源ランプ１１の数と予備光源ランプ１３の数との合計である。
【００４７】
（第２実施形態）
以下、第２実施形態に係る自動分析装置について説明する。なお以下の説明において、本実施形態と略同一の機能を有する構成要素については、同一符号を付し、必要な場合にのみ重複説明する。
【００４８】
図７は、第２実施形態に係る自動分析装置の測光系のブロック図である。図７に示すように、第２実施形態に係る測光系は、主光源ランプ１１、予備光源ランプ１３、光源ランプ支持機構１５、寿命判定用光検出部１７、寿命指標計測部１９、寿命判定部２１、報知部２３、照明制御部２７、電力供給部２９、駆動制御部３３、及び駆動部３５を有する。
【００４９】
寿命判定部２１は、寿命指標計測部１９から供給される光の強度に基づいて主光源ランプと予備光源ランプを切替えるべきか、あるいは切替えなくてもよいかを判定する。切替えるべきと判定した場合、寿命判定部２１は、報知部２３、照明制御部２７、及び駆動制御部３３に切替信号を供給する。切替えなくてもよいと判定した場合、寿命判定部２１は、報知部２３に非切替信号を供給する。
【００５０】
照明制御部２７は、寿命指標計測部１９から供給された主光源ランプ１１の光の強度が所定値に低下した場合、予備光源ランプ１３を点灯させるための照明制御信号（点灯開始信号）を電力供給部２９に供給する。また、寿命判定部２１から切替信号が供給された場合、照明制御部２７は、主光源ランプ１１を消灯させるための消灯信号を電力供給部２９に供給する。
【００５１】
電力供給部２９は、照明制御部２７からの点灯開始信号が供給されたことを契機として、予備光源ランプ１３への電力の供給を開始し、予備光源ランプ１３を点灯させる。また、電力供給部２９は、照明制御部２７からの消灯信号が供給されたことを契機として、主光源ランプ１１への電力の供給を停止し、主光源ランプ１１を消灯させる。
【００５２】
駆動制御部３３は、寿命判定部２１から切替信号が供給された場合、主光源ランプ１１の位置と予備光源ランプ１３の位置とを切替えるための駆動制御信号を駆動部３３に供給する。
【００５３】
駆動部３５は、駆動制御部３３からの駆動制御信号に基づいて支持機構１５に駆動信号を供給する。上述したように、駆動部３５から駆動信号の供給を受けた支持機構１５は、軸回りに回転して主光源ランプ１１の位置と予備光源ランプ１３の位置とを切替える。
【００５４】
上記構成により、第２実施形態に係る自動分析装置は、自動的に予備光源ランプ１３を点灯させ、主光源ランプ１１の位置と予備光源ランプ１３の位置とを切替え、主光源ランプ１１を消灯させることができる。
【００５５】
かくして第２実施形態によれば、測光用の光源ランプの交換作業の効率向上を実現する自動分析装置を提供することが可能となる。
【００５６】
なお、測光中においてランプ位置の切替えが行なわれると、測光データに悪影響を及ぼす虞がある。従って、駆動制御部３３は、寿命判定部２１から切替信号の供給がなされても、測光中に駆動制御信号の供給を行なわず待機する。例えば、駆動制御部３３は、１つの測光オーダの終了や、自動分析装置のシャットダウン、メンテナンスの開始等を契機として、駆動制御部３３は、駆動部３５への駆動制御信号の供給を行なう。
【００５７】
（第３実施形態）
以下、第３実施形態に係る自動分析装置について説明する。なお以下の説明において、第１実施形態と略同一の機能を有する構成要素については、同一符号を付し、必要な場合にのみ重複説明する。
【００５８】
図８は、第３実施形態に係る自動分析装置の測光系のブロック図である。図８に示すように、第３実施形態に係る測光系は、主光源ランプ１１、予備光源ランプ１３、光源ランプ支持機構１５、寿命判定用光検出部１７´、寿命指標計測部１９、寿命判定部２１´、報知部２３、照明操作部２５、照明制御部２７、電力供給部２９、ランプ位置操作部３１、駆動制御部３３、及び駆動部３５を有する。
【００５９】
寿命判定用光検出部１７´は、主光源ランプ１１から発生された光を検出している間、光を検出していることを示す点灯信号を寿命指標計測部１９´に供給する。
【００６０】
寿命指標計測部１９´は、寿命判定用光検出部１７´からの点灯信号の累積値を、光源ランプごとに計数する。この累積値は、主光源ランプ１１の累積点灯時間を表す。累積点灯時間は、リアルタイムに寿命判定部２１´に供給される。
【００６１】
寿命判定部２１´は、寿命指標計測部１９´から供給される主光源ランプ１１の累積点灯時間に基づいて主光源ランプ１１と予備光源ランプ１３とを切替えるべきか、あるいは切替えなくてもよいかを判定する。切替えるべきと判定した場合、寿命判定部２１´は、報知部２３に切替信号を供給する。切替えなくてもよいと判定した場合、寿命判定部２１´は、報知部２３に非切替信号を供給する。
【００６２】
照明制御部２７は、寿命指標計測部１９´から供給される累積点灯時間が所定値に達した場合、予備光源ランプ１３を点灯させるための点灯開始信号を電力供給部２９に供給する。
【００６３】
次に第３実施形態に係る自動分析装置の動作の流れについて詳細に説明する。図９は、各光源ランプの累積点灯時間ＩＶに応じた、予備用光源ランプ１３の点灯と光源ランプ位置の切替動作とのタイミングを示す図である。図９に示すように、主光源ランプ１１は点灯され測光に用いられており、予備光源ランプ１３は点灯していない状態であるとする。主光源ランプ１１の累積点灯時間ＩＶは、保障期間が過ぎる手前の累積点灯時間ＩＶ０であるとする。主光源ランプ１１を使用し続け、累積点灯時間が予め設定された第１の閾値ＩＶ１まで到達すると（時刻ｔ１）、照明制御部２７は、予備光源ランプ１３を点灯させるための点灯開始信号を電力供給部２９に供給する。そして電力供給部２９は、予備光源ランプ１３に電力を供給して点灯させる。第１の閾値ＩＶ１は、例えば、保障期間の６０分程度前に設定される。この第１の閾値ＩＶ１は、オペレータにより任意に設定可能である。
【００６４】
例えば、第１の閾値ＩＶ１と不安定期間との加算値が第２の閾値ＩＶ２に設定される。第２の閾値ＩＶ２もオペレータにより任意に設定可能である。
【００６５】
予備光源ランプ１３が点灯され、主光源ランプ１１の累積点灯時間が第２の閾値ＩＶ２に到達すると（時刻ｔ２）、寿命判定部２１´は、主光源ランプ１１を交換すべきであると判定する。寿命判定部２１´が主光源ランプ１１を交換すべきであると判定すると報知部２３は、その旨のメッセージを出力する。
【００６６】
主光源ランプ１１を交換すべき旨の報知を受けると、第１実施形態と同様に、オペレータの指示に従ってランプ位置操作部３１は、駆動指示信号を駆動制御部３３に供給する。駆動指示信号の供給を受けた駆動制御部３３は、駆動部３５を制御してシャフト４０を駆動させ、主光源ランプ１１の位置と予備光源ランプ１３の位置とを切替える。
【００６７】
また、光源ランプ位置の切替後、第１実施形態と同様に、オペレータの指示に従って、照明操作部２５は、消灯指示信号を照明制御部２７に供給する。消灯指示信号の供給を受けた照明制御部２７は、電力供給部２９を制御して主光源ランプ１１を消灯する。そしてオペレータによりランプ交換が行なわれる。
【００６８】
上記構成により、第３実施形態に係る自動分析装置は、主光源ランプ１１の累積点灯時間に応じて、予備光源ランプ１３を点灯させたり、主光源ランプ１１の位置と予備光源ランプ１３の位置とを切替えたり、主光源ランプ１１を消灯させたりしている。
【００６９】
かくして第３実施形態によれば、測光用の光源ランプの交換作業の効率向上を実現する自動分析装置を提供することが可能となる。
【００７０】
なお上記構成においては、第３実施形態に係る自動分析装置は、寿命判定用光検出部１７を有するとしたが、有さなくても良い。この場合、照明制御部２７は、主光源ランプ１１を点灯させている間、定期的に（例えば、１秒おきに）点灯させていることを示す点灯信号を寿命指標計測部１９´に供給する。
【００７１】
また上記構成においては、第３実施形態に係る自動分析装置は、照明操作部２５やランプ位置操作部３１を有するとしたが、有さなくても良い。この場合、第２実施形態のように、寿命判定部２１´が切替信号を照明制御部２７や駆動制御部３３に供給することで、主光源ランプ１１の消灯や、主光源ランプ１１の位置と予備光源ランプ１３の位置との切替えを自動化する。
【００７２】
（第４実施形態）
図１０は、第４実施形態に係る自動分析装置の動作の流れの概略を示す図である。第４実施形態に係る予備光源ランプ１３の数は、１つであっても複数であっても構わない。しかし以下の説明を具体的に行なうため、予備光源ランプ１３は、１つであるとする。また、第４実施形態に係る自動分析装置の測光系の機能ブロックは、第１、２、又は３実施形態と同一のもので実現される。
【００７３】
図１０に示すように、第４実施形態に係るランプホルダ４１ａ、ｂは、光源ランプを収容する容器である。各ランプホルダ４１ａ、ｂには、寿命判定用光検出部１７が取り付けられている。第４実施形態に係る自動分析装置の光源ランプ支持機構６１は、案内レール６３とスライダ６５とを有する。スライダ６５は、第１ランプホルダ４１ａと第２ランプホルダ４１ｂとを並べて支持する。より詳細には、スライダ６５は、主光源ランプ１１と予備光源ランプ１３との向きが一致するように、第１ランプホルダ４１ａと第２ランプホルダ４１ｂとを支持している。案内レール６３は、スライダ６５をランプホルダ４１ａ、ｂの配列方向に沿って平行移動可能に支持する。スライダ６５は、駆動部３５からの駆動信号の供給を受けて、主光源ランプ１１又は予備光源ランプ１３が測光位置Ｐに位置決めされるように案内レール６３上を所定距離（例えば、光源ランプ間のピッチ）だけ平行移動する。
【００７４】
図１０に示すように、主光源ランプ１１は点灯され測光に用いられており、予備光源ランプ１３は点灯していない状態であるとする。エネルギーや累積点灯時間が第１の閾値に到達すると、照明制御部２７は、予備光源ランプ１３を点灯させるための点灯開始信号を電力供給部２９に供給する。そして電力供給部２９は、予備光源ランプ１３に電力を供給して点灯させる。
【００７５】
予備光源ランプ１３が点灯され、主光源ランプ１１から発生される光の強度が第２の閾値に到達すると、寿命判定部２１は、主光源ランプ１１を交換すべきであると判定する。寿命判定部２１が主光源ランプ１１を交換すべきであると判定すると報知部２３は、その旨のメッセージを出力する。
【００７６】
主光源ランプ１１を交換すべき旨の報知を受けると、オペレータは、例えば、コンソールに設けられたランプ位置切替ボタンを押す。測光中に報知部２３からの報知がなされた場合、オペレータは、測光中のオーダが終了した時点でランプ位置切替ボタンを押すとよい。ランプ位置切替ボタンが押されたことを契機として、ランプ位置操作部３１は、駆動指示信号を駆動制御部３３に供給する。駆動指示信号の供給を受けた駆動制御部３３は、駆動部３５を制御してスライダ６５を移動させ、主光源ランプ１１の位置と予備光源ランプ１３の位置とを切替える。光源ランプ位置が切り替わると、予備光源ランプ１３が測光に用いられる。
【００７７】
光源ランプ位置の切替後、オペレータは、例えば、コンソールに設けられた消灯ボタンを押す。消灯ボタンが押されたことを契機として、照明操作部２５は、消灯指示信号を照明制御部２７に供給する。消灯指示信号を受けた照明制御部２７は、電力供給部２９を制御して主光源ランプ１１を消灯する。消灯後、主光源ランプ１１が十分に冷えたら、オペレータは、第１ランプホルダ４１ａから主光源ランプ１１を取り外す。そして必要であれば、オペレータは、第１ランプホルダ４１ａに新たな光源ランプを取り付ける。
【００７８】
上記構成により、第４実施形態に係る自動分析装置は、スライド式の光源ランプ支持機構１５を有しており、平行移動により主光源ランプ１１の位置と予備光源ランプ１３の位置とを切替えることができる。
【００７９】
かくして第４実施形態によれば、測光用の光源ランプの交換作業の効率向上を実現する自動分析装置を提供することが可能となる。
【００８０】
なお、予備光源ランプ１３が複数ある場合、予備光源ランプ１３の数と同数の第２ランプホルダ４１ｂがスライダ６５に一列に並べて取り付けられる。
【００８１】
（第５実施形態）
図１１は、第５実施形態に係る自動分析装置の光源ランプ支持機構６７を前方から眺めた図である。図１２は、図１１の１２―１２断面図である。なお、第５実施形態に係る自動分析装置の測光系の機能ブロックは、第１、２、又は３実施形態と同一のもので実現される。
【００８２】
図１１と図１２とに示すように、光源ランプ支持機構６７は、円盤上の台座６９と、台座６９の中心を貫くシャフト７１とを有する。台座６９は、シャフト７１は、台座６９を軸Ｚ４回りに回転可能に支持している。台座６９は、第１ランプホルダ４１ａと複数の第２ランプホルダ４１ｂとを軸Ｚ４回りの同一円周上に並べて支持している。シャフト７１は、駆動部３５からの駆動信号の供給を受けて、主光源ランプ１１又は複数の予備光源ランプ１３のうちの１つが測光位置に位置決めされるように、軸Ｚ４回りに所定角度だけ回転する。所定角度は、例えば、第１ランプホルダ４１ａの数と第２ランプホルダ４１ｂの数との合計がｎの場合、３６０度／ｎに設定される。
【００８３】
上記構成により、第５実施形態に係る自動分析装置は、リボルバ式の光源ランプ支持機構１５を有しており、回転移動により主光源ランプ１１の位置と予備光源ランプ１３の位置とを切替えることができる。
【００８４】
かくして第５実施形態によれば、測光用の光源ランプの交換作業の効率向上を実現する自動分析装置を提供することが可能となる。
【００８５】
（第６実施形態）
以下、第６実施形態に係る自動分析装置について説明する。なお以下の説明において、本実施形態と略同一の機能を有する構成要素については、同一符号を付し、必要な場合にのみ重複説明する。
【００８６】
図１３は、第６実施形態に係る自動分析装置の測光系のブロック図である。図１３に示すように、第６実施形態に係る測光系は、主光源ランプ１１、予備光源ランプ１３、光源ランプ支持機構８１、寿命判定用光検出部１７、寿命指標計測部１９、寿命判定部２１、報知部２３、照明操作部２５、照明制御部２７、電力供給部２９、測光用光検出部５９、光路支持機構８１、ランプ位置操作部８３、駆動制御部８５、及び駆動部８７を有する。
【００８７】
光源ランプ支持機構８１は、主光源ランプ１１と予備光源ランプ１３とを着脱可能に支持する。主光源ランプ１１と予備光源ランプ１３とは、光源ランプ支持機構８１に一列に並べて配置されている。
【００８８】
測光用光検出部５９は、主光源ランプ１１又は予備光源ランプ１３から照射された光を検出し、検出された光の強度に応じた電気信号を生成する。生成された電気信号は、測光データを演算するために、図示しない演算部に供給される。
【００８９】
光路支持機構８３は、主光源ランプ１１から反応管５５を経由して測光用光検出部５９へ至る第１光路と、予備光源ランプ１３から反応管５５を経由して測光用光検出部５９へ至る第２光路とを切替え可能に支持する。
【００９０】
ランプ位置操作部８５は、オペレータからの指示に従って駆動制御部８７に光路支持機構８３を動作させる旨の駆動指示信号を供給する。ランプ位置操作部８５は、自動分析装置のコンソールに設けられ、マウスやトラックボールなどのポインティングデバイス、切替スイッチ等の選択デバイス、あるいはキーボード等の入力デバイスにより実現される。
【００９１】
駆動制御部８７は、ランプ位置操作部８５から駆動指示信号が供給されることを契機として、第１光路と第２光路とを切替えるための駆動制御信号を駆動部８９に供給する。
【００９２】
駆動部８９は、駆動制御部８７からの駆動制御信号に基づいて光路支持機構８３に駆動信号を供給する。上述したように、駆動部８９から駆動信号の供給を受けた光路支持機構８１は、第１光路と第２光路とを切替える。
【００９３】
次に第６実施形態に係る自動分析装置の動作の流れについて詳細に説明する。図１４は、第６実施形態に係る自動分析装置の動作の流れの概略を示す図である。
【００９４】
図１４に示すように、光源ランプ支持機構８１は、台座７３を有する。台座７３は、主光源ランプ１１を着脱可能に収容する第１ランプホルダ４１ａと、予備光源ランプ１３を着脱可能に収容する第２ランプホルダ４１ｂとを並べて支持する。より詳細には、台座７３は、主光源ランプ１１と予備光源ランプ１３との向きを揃えて支持している。
【００９５】
光路支持機構８３（図１４には図示せず）は、移動可能な第１集光レンズ５３、第２集光レンズ５７、及び測光用光検出部５９等の光学系を支持する。光路支持機構８３は、光学系を第１配置と第２配置との間で切替え可能に支持する。光学系が第１配置に配置されている場合、光路支持機構８３は第１光路を形成する。また光学系が第２配置に配置されている場合、光路支持機構８３は第２光路を形成する。光路支持機構８３は、駆動部８７からの駆動信号の供給を受けて、光学系を第１配置から第２配置へ切替えることにより第１光路から第２光路へ、又は第２配置から第１配置へ切替えることにより第２光路から第１光路へ切替える。なお第１光路と第２光路との光路長は同一である。また、第１集光レンズ５３とランプホルダ４１ａ、４１ｂとの間にはスリット７４―１が設けられている。このスリット７４―１は、第１集光レンズ５３に連動して動く。スリット７４―１は、第１光路の場合、予備光源ランプ１３から発生される光を遮光し、第２光路の場合、主光源ランプ１１から発生される光を遮光する。
【００９６】
図１４に示すように、主光源ランプ１１は点灯され測光に用いられており、予備光源ランプ１３は点灯していない状態であるとする。すなわち光路は、第１光路であるとする。主光源ランプ１１から発生される光のエネルギーや、主光源ランプ１１の累積点灯時間が第１の閾値に到達すると、照明制御部２７は、予備光源ランプ１３を点灯させるための点灯開始信号を電力供給部２９に供給する。そして電力供給部２９は、予備光源ランプ１３に電力を供給して点灯させる。この際、予備光源ランプ１３から発生される光は、スリット７４―１により遮光されるので、光検出部５９により検出されることはない。
【００９７】
予備光源ランプ１３が点灯され、主光源ランプ１１から発生される光の強度が第２の閾値に到達すると、寿命判定部２１は、主光源ランプ１１を交換すべきであると判定する。寿命判定部２１が主光源ランプ１１を交換すべきであると判定すると報知部２３は、その旨のメッセージを出力する。
【００９８】
主光源ランプ１１を交換すべき旨の報知を受けると、オペレータは、例えば、コンソールに設けられたランプ位置切替ボタンを押す。測光中に報知部２３からの報知がなされた場合、オペレータは、測光中のオーダが終了した時点でランプ位置切替ボタンを押すとよい。ランプ位置切替ボタンが押されたことを契機として、ランプ位置操作部８５は、駆動指示信号を駆動制御部８７に供給する。駆動指示信号の供給を受けた駆動制御部８７は、駆動部８９を制御して光路支持機構８３を駆動させ、第１光路と第２光路とを切替える。光源ランプ位置が切り替わると、予備光源ランプ１３が測光に用いられる。
【００９９】
光路の切替後、オペレータは、例えば、コンソールに設けられた消灯ボタンを押す。消灯ボタンが押されたことを契機として、照明操作部２５は、消灯指示信号を照明制御部２７に供給する。消灯指示信号を受けた照明制御部２７は、電力供給部２９を制御して主光源ランプ１１を消灯する。消灯後、主光源ランプ１１が十分に冷えたら、オペレータは、第１ランプホルダ４１ａから主光源ランプ１１を取り外す。そして必要であれば、オペレータは、第１ランプホルダ４１ａに新たな光源ランプを取り付ける。
【０１００】
上記構成により、第５実施形態に係る自動分析装置は、主光源ランプ１１から反応管５５を経由して測光用光検出部５９へ至る第１光路と、予備光源ランプ１３から反応管５５を経由して測光用光検出部５９へ至る第２光路とを切替え可能なように光学系を支持する光路支持機構８３を有している。これにより、主光源ランプ１１と予備光源ランプ１３とを固定したままでも、主光源ランプ１１と予備光源ランプ１３との間の引き継を行なうことができる。
【０１０１】
かくして第６実施形態によれば、測光用の光源ランプの交換作業の効率向上を実現する自動分析装置を提供することが可能となる。
【０１０２】
なお、上記構成においては、予備点灯時において予備光源ランプ１３から発生する光を遮光するために、スリット７４―１が設けられるとした。しかしながら遮光のための構造は、これに限定する必要はない。例えば、図１５に示すように、第１ランプホルダ４１ａと第２ランプホルダ４１ｂとの出口側に第１シャッター７４―２ａと第２シャッター７４―２ｂとをそれぞれ設けるとしてもよい。各シャッター７４―２ａ、７４―２ｂは、光路切替えが行なわれるたびに開いたり、閉じたりする。例えば、第１光路の場合、主光源ランプ用のシャッター７４―２ａは開いており、予備光源ランプ用のシャッター７４―２ｂは閉じている。そして第１光路から第２光路へ切替えられることを契機として、主光源ランプ用のシャッター７４―２ａは閉じ、予備光源ランプ用のシャッター７４―２ｂは開く。このように光路切替えを契機としてシャッター７４―２ａ、７４―２ｂの開閉が切替えられるので、予備点灯時において予備光源ランプ１３から発生する光を遮光することができる。
【０１０３】
（第７実施形態）
図１６は、第７実施形態に係る自動分析装置の動作の流れの概略を示す図である。なお、第７実施形態に係る自動分析装置の測光系の機能ブロックは、第６実施形態と同一のもので実現される。以下の説明において、第１〜６実施形態と略同一の機能を有する構成要素については、同一符号を付し、必要な場合にのみ重複説明する。
【０１０４】
図１６に示すように、光源ランプ支持機構８１は、台座７３を有する。台座７３は、主光源ランプ１１を着脱可能に収容する第１ランプホルダ４１ａと、予備光源ランプ１３を着脱可能に収容する第２ランプホルダ４１ｂとを並べて支持する。より詳細には、台座７３は、主光源ランプ１１と予備光源ランプ１３との向きを揃えて支持している。
【０１０５】
第７実施形態に係る光路支持機構８３（図１６には図示せず）は、主光源ランプ１１から反応管５５を経由して測光用光検出部５９へ至る第１光路と、予備光源ランプ１３から反応管５５を経由して測光用光検出部５９へ至る第２光路とを切替え可能に支持する。具体的には、光路支持機構８３は、第１集光レンズ５３、第２集光レンズ５７、測光用光検出部５９、及びファイバー７５を支持する。第１集光レンズ５３、第２集光レンズ５７、及び測光用光検出部５９の位置は固定されている。光路支持機構８３は、ファイバー７５の一端を第１集光レンズ５３の手前に固定して支持し、ファイバー７５の他端を第１ランプホルダ４１ａのスリット５１ａの開口近傍又は第２ランプホルダ４１ｂのスリット５１ｂの開口近傍に切替え可能に支持する。以下、ファイバーの他端７５がスリット５１ａの開口近傍に配置されている場合を第１配置、ファイバー７５の他端がスリット５１ｂの開口近傍に配置されている場合を第２配置と呼ぶことにする。
【０１０６】
ファイバー７５の他端が第１配置に配置されている場合、光路支持機構８３は第１光路を形成する。ファイバー７５の他端が第２配置に配置されている場合、光路支持機構８３は第２光路を形成する。光路支持機構８３は、駆動部８９からの駆動信号の供給を受けて、ファイバー７５の他端を第１配置から第２配置へ、又は第２配置から第１配置へ切替える。なお第１光路と第２光路との光路長は同一である。
【０１０７】
なお光路支持機構８３は、ファイバー７５の代わりに鏡を支持していてもよい。この場合、光路支持機構８３は、駆動部８９からの駆動信号の供給を受けて鏡の位置を切替えることにより、第１光路と第２光路とを切替える。
【０１０８】
上記構成により、第７実施形態に係る自動分析装置は、主光源ランプ１１から反応管５５を経由して測光用光検出部５９へ至る第１光路と、予備光源ランプ１３から反応管５５を経由して測光用光検出部５９へ至る第２光路とを切替え可能なようにファイバー７５や鏡を支持する光路支持機構８３を有している。これにより、主光源ランプ１１と予備光源ランプ１３とを固定したままでも、主光源ランプ１１と予備光源ランプ１３との間の引き継を行なうことができる。
【０１０９】
かくして第７実施形態によれば、測光用の光源ランプの交換作業の効率向上を実現する自動分析装置を提供することが可能となる。
【０１１０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【０１１１】
以上本発明によれば、測光用の光源ランプの交換作業の効率向上を実現する自動分析装置の提供を実現することができる。
【符号の説明】
【０１１２】
１１…主光源ランプ、１３…予備光源ランプ、１５…光源ランプ支持機構、１７…寿命判定用光検出部、１９…寿命指標計測部、２１…寿命判定部、２３…報知部、２５…照明操作部、２７…照明制御部、２９…電力供給部、３１…ランプ位置操作部、３３…駆動制御部、３５…駆動部
【図１】
2010256227.tif 000003
【図２】
2010256227.tif 000004
【図３】
2010256227.tif 000005
【図４】
2010256227.tif 000006
【図５】
2010256227.tif 000007
【図６】
2010256227.tif 000008
【図７】
2010256227.tif 000009
【図８】
2010256227.tif 000010
【図９】
2010256227.tif 000011
【図１０】
2010256227.tif 000012
【図１１】
2010256227.tif 000013
【図１２】
2010256227.tif 000014
【図１３】
2010256227.tif 000015
【図１４】
2010256227.tif 000016
【図１５】
2010256227.tif 000017
【図１６】
2010256227.tif 000018